(57)【要約】【課題】線シンボルの入力処理を簡略化した複線表示方式の配線設備図を作成することが可能となる。【解決手段】配電設備図作成装置１０は、セグメント定義レコード格納部１７及び作画制御部１４を備える。セグメント定義レコード格納部１７は、径間に表示される線シンボルと電柱シンボルとの位置関係を示す情報であるオフセット値を含むセグメント定義レコードを格納する。作画制御部１３は、径間を構成する電柱シンボルを指定した上で線シンボルを表示する旨を指示されると、その電柱シンボルの中心座標とオフセット値に基づいて、線シンボルの始点及び終点の座標を自動的に算出する。【選択図】　　　図１
2004021337.tif 000002
【特許請求の範囲】
【請求項１】
配電設備図を作成する制御をコンピュータに行わせるコンピュータ・プログラムであって、
２つの電柱シンボルに対応する電線を示す線シンボル情報を格納する径間情報より、受信した電柱シンボルに該当する径間情報を抽出し、
前記の受信した電柱シンボルの前記配電設備図上での位置を示す電柱位置情報及び前記径間情報に基づいて、前記線シンボルの前記配電設備図上での位置を示す電線位置情報を生成し、
前記生成された電線位置情報に基づいて、前記線シンボルを前記配電設備図上に表示させる、
ことを含む制御を前記コンピュータに行わせることを特徴とするコンピュータ・プログラム。
【請求項２】
配電設備図を作成する制御をコンピュータに行わせるコンピュータ・プログラムであって、
２つの電柱シンボルの径間に表示される線シンボルと前記電柱シンボルとの位置関係を示す情報であるオフセット値を取得し、
前記２つの電柱シンボルの前記配電設備図上での位置を示す電柱位置情報及び前記オフセット値に基づいて、前記線シンボルの前記配電設備図上での位置を示す電線位置情報を生成し、
前記生成された電線位置情報に基づいて、前記線シンボルを前記配電設備図上に表示させる、
ことを含む制御を前記コンピュータに行わせることを特徴とするコンピュータ・プログラム。
【請求項３】
前記径間を構成する前記電柱シンボルが移動された場合、前記オフセット値及び移動後の前記電柱シンボルの前記電柱位置情報に基づいて、移動後の前記線シンボルの電線位置情報を生成する、
ことを更に含む制御を前記コンピュータに行わせることを特徴とする請求項２に記載のコンピュータ・プログラム。
【請求項４】
前記電柱シンボルを識別する電柱シンボル識別情報及び前記径間に表示される前記線シンボルを識別する線シンボル識別情報を含む径間情報を生成し、
前記径間情報を用いて、前記径間に表示される線シンボルを管理する、
ことを更に含む制御を前記コンピュータに行わせることを特徴とする請求項２又は３に記載のコンピュータ・プログラム。
【請求項５】
コンピュータが、配電設備図を作成する配電設備図作成方法であって、
２つの電柱シンボルの径間に表示される線シンボルと前記電柱シンボルとの位置関係を示す情報であるオフセット値を取得し、
前記２つの電柱シンボルの前記配電設備図上での位置を示す電柱位置情報及び前記オフセット値に基づいて、前記線シンボルの前記配電設備図上での位置を示す電線位置情報を生成し、
前記生成された電線位置情報に基づいて、前記線シンボルを前記配電設備図上に表示させる、
ことを含むことを特徴とする配電設備図作成方法。
【発明の詳細な説明】
【０００１】
【発明の属する技術分野】
本発明は、配電設備図を作成する技術に関する。
【０００２】
【従来の技術】
電柱間に存在する電線類の情報を表示する配電設備図を作成・管理する図面管理システムにおいて、主に以下の２つの方式がある。
【０００３】
１）　旗揚げ方式
図１１に、旗揚げ方式の配電設備図の一例を示す。図１１に示すように、旗揚げ方式の配電設備図では、電柱を示す電柱シンボル間に電線を示す線シンボルを１本表示することにより、電柱間に電線が渡されていることを示す。電柱間に複数の電線が渡されている場合、電柱間に表示された１本の線シンボルに引き出し線を引き、引き出し線の先に、複数の電線が渡されている旨を電線の内訳として記載する。
【０００４】
２）複線表示方式
複線表示方式の配電設備図では、２本の電柱の間に渡されている数と同数の線シンボルを、電柱シンボルの間に表示する。
【０００５】
また、配電設備図にかかわる発明として、特開平７−１１４５９０号の公開公報に記載の発明がある。この発明によれば、電柱に装備される変圧器、開閉器等の設備機器を示すシンボル及びそれらの属性データを配電設備図内の電柱シンボルの近傍に自動的に配置する。
【０００６】
【発明が解決しようとする課題】
上記の従来の２つの方式の配電設備図には、それぞれ以下のような問題があった。
【０００７】
１）旗揚げ方式
１．　一目で電線の配線状況が把握できず、引き出し線の先に表示された電線の内訳を読む必要があった。
【０００８】
２．　設備が輻輳している箇所では、旗揚げ線により配電設備図が見づらくなっていた。
３．　電柱間に１本しか線シンボルを表示できないため、電線の種類等に応じて線シンボルの色を変えるように配電設備図を表示することができなかった。
【０００９】
２）複数表示方式
１．線シンボルごとに、始点及び終点を示す座標を持つため、線シンボルの登録を行う場合、ユーザは、その線シンボルが表示されるべき２本の電柱シンボルを指定した後、その線シンボルの２つの末端、つまり始点と終点の配電設備図上での位置を指示する必要があったため、手順が煩雑であった。特に、表示させたい線シンボルの数が多い場合、手順は大変複雑であった。
【００１０】
２．　電柱シンボルの移動に伴って、移動された電柱によって支持された線シンボルを移動させる場合、移動後の線シンボルの始点及び終点の座標を算出するための計算量が多いため、かなりの処理時間を要していた。
【００１１】
以下、図１２及び図１３を用いて、従来の複線表示方式における、電柱シンボルに移動に伴って線シンボルを移動させる際の、移動後の線シンボルの始点及び終点の座標を算出する処理について詳しく説明する。
【００１２】
まず、図１２を用いて、図１３の説明において用いる座標について説明する。図１２において、移動しない電柱シンボルが基準電柱として示され、移動対象となる電柱シンボルが移動電柱として示される。以下の説明において、図１２に示すように、基準電柱を直交座標系及び極座標系の原点として仮定し、以下の記号を用いる。
【００１３】
（Ｘ１，Ｙ１）：移動前の移動電柱の直交座標系での座標
（ｒ１，θ１）：移動前の移動電柱の極座標系での座標
（Ｘ１’，Ｙ１’）：移動後の移動電柱の直交座標系での座標
（ｒ１’，θ１’）：移動後の移動電柱の極座標系での座標
（Ｘ２，Ｙ２）：基準電柱及び移動電柱によって支持される線シンボルの移動前の移動電柱側の末端の直交座標系での座標
（ｒ２，θ２）：基準電柱及び移動電柱によって支持される線シンボルの移動前の移動電柱側の末端の極座標系での座標
（Ｘ２’，Ｙ２’）：基準電柱及び移動電柱によって支持される線シンボルの移動後の移動電柱側の末端の直交座標系での座標
（ｒ２’，θ２’）：基準電柱及び移動電柱によって支持される線シンボルの移動後の移動電柱側の末端の極座標系での座標
以下、図１３を用いて、電柱シンボルに移動に伴って線シンボルを移動させる際の、移動後の線シンボルの末端の座標を算出する処理について説明する。
【００１４】
移動電柱によって支持される線シンボルの移動電柱側の末端の座標の算出処理が開始されると、まず、移動前の移動電柱の直交座標系の座標（Ｘ１，Ｙ１）及び線シンボルの移動前の移動電柱側の末端の直交座標系の座標（Ｘ２，Ｙ２）を、極座標系の座標に変換することにより、座標（ｒ１，θ１）及び座標（ｒ２，θ２）を得る（Ｓ１）。なお、直交座標系での座標を極座標系での座標に変換する計算方法は広く知られているため、説明を省略する。
【００１５】
続いて、移動後の移動電柱の直交座標系の座標（Ｘ１’，Ｙ１’）を極座標系の座標に変換することにより、座標（ｒ１’，θ１’）を得る（Ｓ３）。さらに、以下の式によって、線シンボルの移動後の移動電柱側の末端の極座標系での座標（ｒ２’，θ２’）を得る（Ｓ４）。
【００１６】
ｒ２’＝ｎ×ｒ２
θ２’＝θ２＋θ１’−θ１
ここで、ｎ＝ｒ１’／ｒ１であり、移動後の基本電柱及び移動電柱間の距離の変化計数を示す。
【００１７】
さらに、得られた極座標系での座標（ｒ２’，θ２’）を直交座標系に変換する事により座標（Ｘ２’，Ｙ２’）を得る（ＳＴ４）。これらＳＴ１からＳＴ４の手順によって、線シンボルの移動電柱側の末端の直交座標系での座標（Ｘ２’，Ｙ２’）が得られる。
【００１８】
続いて、ＳＴ１からＳＴ４と同様にして、今度は、線シンボルの基本電柱側の末端の直交座標系での座標を得る（ＳＴ５）。最後に、算出された直行座標系での座標に基づいて、配電設備図を作成し（ＳＴ６）、処理を終了する。なお、この説明においては、１本の線シンボルについてのみ説明したが、複数の線シンボルが移動電柱によって支持されている場合、線シンボルの数だけ上述の処理が繰り返される。
【００１９】
このように、従来における電柱シンボルの移動に伴う線シンボルの移動には、複雑な計算処理が必要であった。
また、上述の特開平７−１１４５９０は、電柱に装備される設備機器を示すシンボルを配電設備図内の電柱シンボルの近傍に自動的に配置することを開示するにとどまり、上述の問題について解決方法を提供するものではない。
【００２０】
以上の問題に鑑み、本発明は、複線表示方式の配線設備図を作成する際の線シンボルの入力処理を簡略化することを第１の課題とする。また、本発明は、電柱シンボルの移動に伴う線シンボルの移動において、移動後の線シンボルの座標の算出を迅速に行うことを可能とすることを第２の課題とする。
【００２１】
【課題を解決するための手段】
上記問題を解決するために、本発明の１態様によれば、　配電設備図を作成する制御をコンピュータに行わせるコンピュータ・プログラムにおいて、２つの電柱シンボルの径間に表示される線シンボルと前記電柱シンボルとの位置関係を示す情報であるオフセット値を取得し、前記２つの電柱シンボルの前記配電設備図上での位置を示す電柱位置情報及び前記オフセット値に基づいて、前記線シンボルの前記配電設備図上での位置を示す電線位置情報を生成し、前記生成された電線位置情報に基づいて、前記線シンボルを前記配電設備図上に表示させる、ことを含む制御を前記コンピュータに行わせることを特徴とする。
【００２２】
２つの電柱シンボルの径間に表示される線シンボルと前記電柱シンボルとの位置関係を示すオフセット値と、径間を構成する電柱シンボルの電線位置情報とに基づいて線シンボルの電線位置情報を生成することにより、線シンボルの位置をユーザが指定する事を不要とすることが可能となる。
【００２３】
また、上記コンピュータ・プログラムにおいて、前記径間を構成する前記電柱シンボルが移動された場合、前記オフセット値及び移動後の前記電柱シンボルの前記電柱位置情報に基づいて、移動後の前記線シンボルの電線位置情報を生成する、ことを更に含む制御を前記コンピュータに行わせることとしてもよい。
【００２４】
電柱シンボルの移動に伴う線シンボルの移動処理に際しても、移動後の線シンボルの電線位置情報をオフセット値と電柱シンボルの中心の電線位置情報に基づいて生成することが可能であるため、従来よりも、迅速に電柱シンボルの移動に伴う処理を行うことが可能となる。
【００２５】
さらに、また、上記コンピュータ・プログラムにおいて、径間を構成する前記電柱シンボルを識別する電柱シンボル識別情報及び前記径間に表示される前記線シンボルを識別する線シンボル識別情報を含む径間情報を生成し、前記径間情報を用いて、前記径間に表示される線シンボルを管理する、ことを更に含む制御を前記コンピュータに行わせることとしてもよい。これにより、線シンボルの追加、削除、変更等を、１つ１つの線シンボルごとに行うのではなく、径間ごとに行うことが可能となる。
【００２６】
ここで、前記オフセット値を、前記線シンボルが示す電線の種類に対応させることとしてもよいし、前記径間に表示される線シンボルの回線数に対応させることとしてもよい。これにより、電線の種類や回線数に応じて、電柱シンボルと相対的に決まった位置に線シンボルを表示させることが可能となるため、分かりやすい配電設備図を作成する事が可能となる。
【００２７】
また、前記オフセット値は、前記２つの電柱シンボルの中心を結んでできる第１の基準線と前記線シンボルとの距離を示すこととしてもよいし、２つの電柱シンボルの中心を通り、前記第１の基準線に垂直な第２の基準線と前記線シンボルとの距離を示すこととしてもよい。このようなオフセット値を用いて、線シンボルと電柱シンボルとの位置関係を表現する事が可能である。
【００２８】
また、上記コンピュータ・プログラムを記録したコンピュータ読み取り可能な記録媒体から、そのプログラムをコンピュータに読み出させて実行させることによっても、上記課題を解決することができる。
【００２９】
また、コンピュータによって上記コンピュータ・プログラム実行させる事によって、コンピュータが行う手順を含む配電設備図作成方法によっても、上記コンピュータ・プログラムをコンピュータに実行させる事によって得られるのと同様の作用・効果が得られるため、上記課題を解決することが可能である。
【００３０】
上記配電設備図作成方法において行われる手順と同様の処理を行う配電設備図作成装置によっても、上記配電設備図作成方法と同様の作用・効果が得られるため、上記課題を解決することが可能である。
【００３１】
【発明の実施の形態】
以下、本発明の実施の形態について図面を用いて説明する。なお、同じ装置等には同じ参照番号をつけ、説明を省略する。
【００３２】
図１に、本発明に係わる配電設備図作成装置１０の構成を示す。配電設備図作成装置１０は、配電に係わる機器の設備状況、例えば電柱の設置、電線の配線等を示す配電設備図を作成する。図１に示すように、配電設備図作成装置１０は、レコード検索部１１、径間レコード作成・更新部１２、作画制御部１３、作画座標レコード作成・更新部１４、径間レコード格納部１５、作画座標レコード格納部１６、セグメント定義レコード格納部１７及び入出力装置１８を備える。
【００３３】
レコード検索部１１は、入出力装置１８を介して、ユーザから又は他の装置から電柱シンボルの指定を受け、指定された電柱シンボルに係わる径間レコードや作画座標レコードを、それぞれ径間レコード格納部１５及び作画座標格納部１６から検索する。
【００３４】
径間レコードは、径間に関する情報である。この径間レコードに基づいて、線シンボルが径間に表示される。なお、径間とは、電柱シンボルと電柱シンボルの間をいう。作画座標レコードは、径間に表示される線シンボルの両端の配電設備図上の位置を示す座標に関する情報である。径間レコード及び作画座標レコードの構造については、後述する。
【００３５】
レコード検索部１１によって径間レコードが検索された結果、指定された電柱シンボルに係わる径間レコードが径間レコード格納部１５に格納されていない場合、径間レコード作成・更新部１２は、径間レコードを作成し、その径間レコードを径間レコード格納部１５に登録する。指定された電柱シンボルに係わる径間レコードが径間レコード格納部１５に格納されていた場合、径間レコード作成・更新部１２は、入出力装置１８を介して入力された情報に基づいて、径間レコードを更新する。
【００３６】
作画制御部１３は、径間レコード及びセグメント定義レコードに基づいて、線シンボルの始点及び終点の座標を決定し、線シンボルを配電設備図を出力させるように入出力装置１８を制御する。セグメント定義レコードは、線シンボルが示す電線の種類に応じた線シンボルの表示方法に関する情報及び線シンボルと電柱シンボルとの位置関係に関する情報を含む。作画座標レコード作成・更新部１４は、作画座標レコードを作成又は更新する。
【００３７】
径間レコード格納部１５、作画座標レコード格納部１６、セグメント定義レコード格納部１７は、それぞれ、径間レコード、作画座標レコード及びセグメント定義レコードを格納する。セグメント定義レコードの構造について詳しくは後述する。
【００３８】
入出力装置１８は、ユーザ又は他の装置からの指示を配電設備図作成装置１０にン入力し、配電設備図作成装置１０からのユーザ等への問い合わせ等を出力する。
【００３９】
次に、図２及び３を用いて、各種レコードの構造について説明する。まず、図２を用いて、径間レコードの構造について説明する。
図２に示すように、径間レコードは、その径間レコードに係わる径間を構成する電柱シンボルを識別する電柱ＩＤ及びその径間に渡される線シンボルを識別する電線ＩＤを含む。径間は、２つの電柱シンボルよって構成されるため、図２に示すように径間レコードは、２つの電柱ＩＤを含む。また、図２に示されていないが、径間レコードは、径間の長さを示す径間長やその他の情報を特記事項として更に含むこととしても良い。特記事項は、配電設備図に表示される。
【００４０】
次に、図３を用いて、作画座標レコード及びセグメント定義レコードの構造について説明する。作画座標レコードは、その作画座標レコードに係わる線シンボルを識別する電線ＩＤ、その線シンボルが示す電線の種類に応じたセグメントナンバー、線シンボルの始点及び終点の座標を含む。なお、線シンボルの始点及び終点の座標は、作画制御部１３によって決定される。
【００４１】
セグメント定義レコードは、線シンボルの線種に応じて、予め配電設備図作成装置１０のセグメント定義レコード格納部１７に格納され、配電設備図作成装置１０のバージョンアップ時等において随時更新される。
【００４２】
セグメント定義レコードは、セグメントナンバー、プリミティブ、Ｘ座標側のオフセット値及びＹ座標側のオフセット値を含む。プリミティブ（作画要素）は、線シンボルを表示する際の線の種類、線の太さ、色等を示す。セグメント定義レコードに、複数のプリミティブが含まれる事としても良い。
【００４３】
オフセット値は、線シンボルと電柱シンボルとの位置関係を示す。オフセット値には、Ｘオフセット値とＹオフセット値とがある。オフセット値についての詳しい説明は、図４を用いて後述する。
【００４４】
このように、セグメント定義レコードを備える事により、配電設備図作成装置１０は、セグメント定義レコードに基づいて、線シンボルが示す電線の種類に応じて、表示される線シンボルと電柱シンボルとの相対的な位置、線の種類、線の太さ、線の色等を変化させる事が可能となる。
【００４５】
より具体的には、例えば、高圧線を示す線シンボルは太い実線を用いて表示されるようにプリミティブを設定し、さらに、１回線目の高圧線は、電柱シンボルの中心付近に表示されるようにオフセット値を設定する事も可能である。また、例えば、架空地線を示す線シンボルは、細い一点鎖線を用いて表示されるようにプリミティブを設定し、さらに、その架空地線は、電線シンボルの中心からみて最も外側に表示されるようにオフセット値を設定することも可能である。
【００４６】
これにより、閲覧者にとって分かりやすい配電設備図を作成することが可能となる。
次に、図４を用いて、各種シンボルの座標表記について説明する。電柱シンボルを表示させる位置は、電柱シンボルを示す円（他の図形であっても良い）の中心の座標によって示される。中心の座標及び電柱シンボルを示す円の半径は、ユーザや他の装置からの指定に基づく。
【００４７】
線シンボルの位置は、始点の座標と終点の座標によって示される。始点及び終点の座標は、その線シンボルが表示される径間を構成する２つの電柱シンボルの中心の座標と、セグメント定義レコードに含まれるＸオフセット値及びＹオフセット値によって決定される。
【００４８】
図４において、径間を構成する２つの電柱シンボルが円で示されている。ここで、紙面向かって左側の電柱シンボルが線シンボルの始点側の電柱とし、右側の電柱シンボルを線シンボルの終点側の電柱とする。２つの電柱シンボルの中心を結んでできる線をＸ基準線とし、電柱シンボルの中心を通り、Ｘ基準線に対して垂直な線をＹ基準線とする。Ｙ基準線は、始点側、終点側それぞれに１本ある。線シンボルは、Ｘ基準線に平行な線分である。
【００４９】
Ｘオフセット値は、線シンボルの始点と始点側のＹ基準線との距離、又は線シンボルの終点と終点側のＹ基準線との距離を示す。従って、線シンボルは、基準線よりも２Ｘだけ短い線分となる。
【００５０】
Ｙオフセット値は、線シンボルの始点又は終点とＸ基準線との距離、言い換えると、線シンボルとＸ基準線との距離を示す。
このように、Ｘオフセット値及びＹオフセット値は、径間を構成する電柱の座標と、その径間に表示される線シンボルの始点及び終点の位置関係を示す情報である。
【００５１】
配電設備図作成装置１０によれば、これらのＸオフセット値及びＹオフセット値を用いることにより、径間を構成する電柱シンボルの座標、線シンボルが示す電線の種類及び同じ種類の電線の何回線目かを示す情報が指定されると、線シンボルの始点及び終点の座標が決定される。従って、ユーザ等は、線シンボルの始点及び終点の座標を指定する必要はないため、情報を入力する手順を簡略にすることが可能となる。
【００５２】
次に、図５を用いて、本発明に係わる配電設備図作成装置１０において、線シンボルを表示する処理について説明する。
線シンボルを作画する際、ユーザは、径間を構成する電柱シンボルを選択し、かつ、その径間に表示させたい線シンボルが示す電線の種類、さらに、その径間に同じ種類の電線が含まれる場合、同じ種類の電線の何回線目かを示す情報を入力した上で、作画処理を指示する。なお、径間は２つの電柱シンボルによって構成されるため、原則として２つの電柱シンボルが指定されることが必要である。また、電柱シンボルの指定する際、配電設備図作成装置１０にＧＵＩ（Ｇｒａｐｈｉｃ　Ｕｓｅｒ　Ｉｎｔｅｒｆａｃｅ）が採用されている場合、例えば、ユーザは、径間を構成する電柱シンボルをポインタで選択する事としても良い。
【００５３】
線シンボルの作画処理が指示されると（Ｓ１）、ユーザ等によって選択された電柱シンボルを識別する電柱ＩＤが入出力装置１８から径間レコード選択部１１に入力される（Ｓ２）。レコード検索部１１は、それらの電柱ＩＤを検索キーとして用いて径間レコード格納部１５を検索する（Ｓ３）。検索の結果、入力された電柱ＩＤに対応する径間レコードが取得された場合（Ｓ４：有）、Ｓ６に進む。
【００５４】
なお、径間レコードは、径間に線シンボルを最初に表示させる際に作成されるため、径間レコードが既に作成されているということは、その径間に表示される線シンボルは既に１本以上存在することを意味する。従って、以降の処理は、その径間に表示させる線シンボルを追加するためであることになる。
【００５５】
該当する径間レコードが取得されなかった場合（Ｓ４：無）、径間レコード作成・作成部１２は、入力された電柱ＩＤを含む径間レコードを作成し（Ｓ５）、Ｓ６に進む。
【００５６】
Ｓ６において、ユーザから入力された電線の種類、さらに、（入力されていた場合は）同じ種類の電線の何回線目かを示す情報に基づいて、径間レコード作成・更新部１２は、線シンボルを識別する電線ＩＤを決定し、その電線ＩＤを径間レコードに追加する。
【００５７】
電線ＩＤは、線シンボルが示す電線の種類、線シンボルが表示される径間及びその径間において同じ種類の電線の何回線目かを示す情報が分かるように決定されることとしてもよい。例えば、予め、高圧線は「１」、低圧線は「２」のように、電線の種類に応じて数字を割り当てておく。そして、線シンボルが示す電線の種類が「高圧線」、径間を構成する電柱の電柱ＩＤが「＃１」及び「＃２」、その径間において１回線目の高圧線である場合、順番にこれらの情報を結合することにより、電線ＩＤを「１＿＃１−＃２−０１」として決定することしても良い。
【００５８】
続いて、作画制御部１３は、線シンボルが示す電線の種類、径間において同じ種類の電線の何回線目かを示す情報に基づいてセグメントナンバーを決定する。さらに、作画制御部１３は、そのセグメントナンバーに対応するセグメント定義レコードをセグメント定義レコード格納部１７から取得し、２つの電柱シンボルの中心座標及びセグメント定義レコードに含まれるＸオフセット値及びＹオフセット値に基づいて、線シンボルの始点及び終点の座標を算出する（Ｓ７）。なお、算出方法は自明であるためそれについての説明を省略する。
【００５９】
さらに、作画制御部１３は、線シンボルの始点及び終点の座標及びセグメント定義レコードに含まれるプリミティブに基づいて、線シンボルを配電設備図に表示させるように入出力装置１８を制御する。なお、径間レコードに特記事項が含まれていた場合、作画制御部１３は、線シンボルの下に特記事項を表示させる（Ｓ８）。
【００６０】
最後に、ユーザ等から指示があった場合、作画座標レコード作成・更新部１３は、表示させた線シンボルについての作画座標レコードを作成し（Ｓ９）、処理を終了する。作画座標レコードを作成した場合、そのレコードを用いて、この処理以降に配電設備図作成装置１０に配電設備図を作成させることが可能となる。
【００６１】
なお、径間に表示させる線シンボルを削除したい場合、以下の処理を行う。まず、レコード検索部１１は、削除したいその線シンボルの電線ＩＤを用いて、径間レコード格納部１５から径間レコードを取得する。径間レコード作成・更新部１２は、その径間レコードからその電線ＩＤを削除し、作画座標レコード作成・更新部１４は、その電線ＩＤを持つ作画座標レコードを作画座標レコード格納部１６から削除する。
【００６２】
図６に、配電設備図における線シンボルの表示例を示す。図６において、点線で示された円が、径間を構成する電柱シンボルを示し、電柱の間に表示された種々の線分の各々が線シンボルを示す。また、各線シンボルに付与された番号は、セグメントナンバーである。図６において、１回線目の高圧線、２回線目の高圧線、架空支線、１回線目の低圧線、３回線目の高圧線及び架空地線のセグメントナンバーは、それぞれ、１、２、３、４、５及び６である。
【００６３】
図６に示すように、配電設備図作成装置１０によれば、複線表示方式の配電設備図を作成することができる。さらに、線シンボルが示す電線の種類に応じて線シンボルにセグメントナンバーが決定され、そのセグメントナンバーに対応するセグメント定義レコードが予め与えられている。セグメント定義レコードには、径間のどの位置に線シンボルを表示するべきかを示すオフセット値が含まれる。従って、電線の種類に応じて、その線シンボルが径間のどの位置に表示されるのか決定される。
【００６４】
続いて、図７及び８を用いて、電柱シンボルに移動に伴って線シンボルを移動させる際の、移動後の線シンボルの始点及び終点の座標を算出する処理について説明する。
【００６５】
まず、図７を用いて、以下の説明において用いる座標について説明する。図７において、移動しない電柱シンボルが基準電柱として示され、移動対象となる電柱シンボルが移動電柱として示される。以下の説明において、基準電柱及び移電柱の間には線シンボルが表示され、基準電柱は、線シンボルの始点側の電柱であると仮定し、移動電柱を終点側の電柱であると仮定する。以下の説明において、図７に示すように、基準電柱を直交座標系の原点として仮定し、以下の記号を用いる。
【００６６】
（Ｘ１，Ｙ１）：移動前の電柱の座標
（Ｘ１’，Ｙ１’）：移動後の電柱の座標
（Ｘ２，Ｙ２）：線シンボルの移動前の終点の座標
（Ｘ２’，Ｙ２’）：線シンボルの移動後の終点の座標
（Ｘ３，Ｙ３）：線シンボルの移動前の始点の座標
（Ｘ３’，Ｙ３’）：線シンボルの移動後の始点の座標
以下、図８を用いて、電柱シンボルに移動に伴って線シンボルを移動させる際の処理について説明する。
【００６７】
電柱シンボルを移動させる際、ユーザ又は他の装置は、移動させる移動電柱を選択し、移動後の座標を指定した後、作画処理を指示する。なお、電柱シンボルの指定する際、配電設備図作成装置１０にＧＵＩ（Ｇｒａｐｈｉｃ　Ｕｓｅｒ　Ｉｎｔｅｒｆａｃｅ）が採用されている場合、例えば、ユーザは、移動電柱をポインタで移動させる事としても良い。
【００６８】
電柱シンボルの移動処理が指示されると（Ｓ１１）、移動電柱の電柱ＩＤ及び移動後の座標（Ｘ１’，Ｙ１’）が入出力装置１８からレコード検索部１１に入力される（Ｓ１２）。レコード検索部１１は、その電柱ＩＤを含む径間レコードを径間レコード格納部１５から取得する（Ｓ１３）。
【００６９】
続いて、以下のようにして検索された径間レコードに含まれる電線ＩＤに係わる線シンボルについて、始点及び終点の座標が再計算される。なお、Ｓ１３において、複数の径間レコードが検索された場合、つまり、移動電柱によって構成される径間が２以上ある場合、以下のＳ１４からＳ１７までの手順が、全ての径間レコードについて行われる。径間レコードに複数の電線ＩＤが含まれていた場合、Ｓ１５及びＳ１６の処理が全ての電線ＩＤについて行われる。
【００７０】
続いて、作画制御部１３は、径間レコードに含まれる電線ＩＤに基づいて、セグメントナンバーを決定し、そのセグメントナンバーに対応するセグメント定義レコードをセグメント定義レコード格納部１７から取得し、移動電柱の中心座標及びセグメント定義レコードに含まれるＸオフセット値及びＹオフセット値に基づいて、線シンボルの終点の座標を算出する（Ｓ１５）。同様に、作画制御部１３は、基準電柱の中心座標及びＸオフセット値及びＹオフセット値に基づいて、線シンボルの始点の座標を算出する（Ｓ１６）。なお、算出方法は図５の場合と同様であり、且つ、自明であるためそれについての説明を省略する。
【００７１】
Ｓ１３で検索された全ての径間レコードに含まれる全ての電線ＩＤについてＳ１５及びＳ１６を行った後、作画制御部１３は、線シンボルの始点及び終点の座標及びセグメント定義レコードに含まれるプリミティブに基づいて、線シンボルを配電設備図に表示させるように入出力装置１８を制御する（Ｓ１７）。
【００７２】
最後に、ユーザ等から指示があった場合、作画座標レコード作成・更新部１３は、電柱の移動に伴って作画座標が再計算された線シンボルの電線ＩＤを含む作画座標レコードを作画座標レコード格納部１６から取得し、取得した作画座標レコードに含まれる始点及び終点の座標を更新し（Ｓ１８）、処理を終了する。
【００７３】
このように、配電設備図作成装置１０によれば、線シンボルの両端の座標を、径間を構成する２つの電柱シンボルの中心座標に対する相対座標を用いて示している。従って、電柱シンボルに移動に伴って線シンボルを移動させる際に、移動後の線シンボルの両端の座標を、直交座標系の座標を極座標系の座標に変換する処理等を不要となっている。故に、本発明によれば、従来よりも簡略な手順で移動後の線シンボルの両端の座標を算出することが可能となる。ひいては、電柱シンボルの移動に伴う処理に要する時間を短縮する事が可能となる。
【００７４】
上記において説明した配電設備図作成装置１０は、コンピュータを用いて構成することができる。以下、コンピュータの構成について、図９を用いて説明する。
【００７５】
図９に示すようにコンピュータ２０は、ＣＰＵ２１、メモリ２２、入力装置２３、出力装置２４、外部記憶装置２５、媒体駆動装置２６、及びネットワーク接続装置２７を備え、それらはバス２８により互いに接続されている。
【００７６】
メモリ２２は、例えば、ＲＯＭ（ＲｅａｄＯｎｌｙ　Ｍｅｍｏｒｙ）、ＲＡＭ（Ｒａｎｄｏｍ　ＡｃｃｅｓｓＭｅｍｏｒｙ）等を含み、処理に用いられるプログラムとデータを格納する。各格納部１５、１６及び１７から読み出されたレコードや、座標を示すデータは、一時的にメモリ２２に格納される。配電設備図作成装置１０を構成するレコード検索部１１、径間レコード作成・更新部１２、作画制御部１３及び作画座標レコード作成・更新部１４は、コンピュータ２０のメモリ２２の特定のプログラムコードセグメントにプログラムとして格納される。なお、配電設備図作成装置１０によって行われる処理は、図を用いて既に説明した。
【００７７】
ＣＰＵ２１は、メモリ２２を利用して上述のプログラムを実行することにより、必要な処理を行う。
入力装置２３は、例えば、キーボード、ポインティングデバイス、タッチパネル等であり、ユーザからの指示や情報の入力に用いられる。出力装置２４は、例えば、ディスプレイやプリンタ等であり、コンピュータのユーザへの問い合わせ、処理結果等の出力に用いられる。入力装置２３及び出力装置２４は、図１の入出力装置１８に対応する。
【００７８】
外部記憶装置２５は、例えば、磁気ディスク装置、光ディスク装置、光磁気ディスク装置等である。外部記憶装置２５は、径間レコード格納部１５、作画座標レコード格納部１６、セグメント定義レコード格納部１７を実現する。さらに、上述のプログラムをコンピュータ２０の外部記憶装置２５に保存しておき、必要に応じて、それらをメモリ２２にロードして使用することもできる。
【００７９】
媒体駆動装置２６は、可搬記録媒体２９を駆動し、その記録内容にアクセスする。可搬記録媒体２９としては、メモリカード、メモリスティック、フレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、光ディスク、光磁気ディスク、ＤＶＤ（Ｄｉｇｉｔａｌ　ＶｅｒｓａｔｉｌｅＤｉｓｋ）等、任意のコンピュータ読み取り可能な記録媒体が用いられる。この可搬記録媒体２９に上述のプログラムを格納しておき、必要に応じて、それをコンピュータ２０のメモリ２２にロードして使用することもできる。
【００８０】
ネットワーク接続装置２７は、ＬＡＮ、ＷＡＮ等の任意のネットワーク（回線）を介して外部の装置を通信し、通信に伴うデータ変換を行う。また、必要に応じて、上述のプログラムを外部の装置から受け取り、それをコンピュータ２０のメモリ２２にロードして使用することもできる。
【００８１】
図１１は、図９のコンピュータへのプログラムのローディングを説明している。
上述の実施形態において説明した配電設備図作成装置１０に相当する機能を汎用的なコンピュータに行わせることも可能である。そのためには、上述のプログラムを、コンピュータで読み取り可能な記録媒体２９に予め記憶させておく。そして、図１１に示すようにしてその記録媒体２９からプログラムをコンピュータに読み出させて、そのコンピュータのメモリ２２や外部記憶装置２５に一旦格納させ、この格納されたプログラムをそのコンピュータの有するＣＰＵ２１に読み出させて実行させるように構成すればよい。
【００８２】
また、プログラム（データ）提供者３０が有するＤＢから、通信回線（ネットワーク）３１を介して、プログラムをダウンロードすることとしてもよい。この場合、例えば、プログラム（データ）提供者３０が有する送信側コンピュータでは、プログラムを表現するプログラム・データをプログラム・データ・シグナルに変換し、モデムを用いて変換されたプログラム・データ・シグナルを変調することにより伝送信号を得て、得られた伝送信号を通信回線３１（伝送媒体）に出力する。プログラムを受信するコンピュータでは、モデムを用いて受信した伝送信号を復調することにより、プログラム・データ・シグナルを得て、得られたプログラム・データ・シグナルを変換することにより、プログラム・データを得る。なお、送信側のコンピュータと受信側のコンピュータの間を接続する通信回線３１（伝送媒体）がデジタル回線の場合、プログラム・データ・シグナルを通信することも可能である。また、プログラムを送信するコンピュータと、プログラムをダウンロードするコンピュータとの間に、電話局等のコンピュータが介在しても良い。
【００８３】
以上、本発明の実施形態について説明したが、本発明は上述した実施形態及び変形例に限定されるものではなく、その他の様々な変更が可能である。
（付記１）　配電設備図を作成する制御をコンピュータに行わせるコンピュータ・プログラムであって、
２つの電柱シンボルの径間に表示される線シンボルと前記電柱シンボルとの位置関係を示す情報であるオフセット値を取得し、
前記２つの電柱シンボルの前記配電設備図上での位置を示す電柱位置情報及び前記オフセット値に基づいて、前記線シンボルの前記配電設備図上での位置を示す電線位置情報を生成し、
前記生成された電線位置情報に基づいて、前記線シンボルを前記配電設備図上に表示させる、
ことを含む制御を前記コンピュータに行わせることを特徴とするコンピュータ・プログラム。
【００８４】
（付記２）　前記径間を構成する前記電柱シンボルが移動された場合、前記オフセット値及び移動後の前記電柱シンボルの前記電柱位置情報に基づいて、移動後の前記線シンボルの電線位置情報を生成する、
ことを更に含む制御を前記コンピュータに行わせることを特徴とする付記１に記載のコンピュータ・プログラム。
【００８５】
（付記３）　前記径間を構成する前記電柱シンボルを識別する電柱シンボル識別情報及び前記径間に表示される前記線シンボルを識別する線シンボル識別情報を含む径間情報を生成し、
前記径間情報を用いて、前記径間に表示される線シンボルを管理する、
ことを更に含む制御を前記コンピュータに行わせることを特徴とする付記１又は２に記載のコンピュータ・プログラム。
【００８６】
（付記４）　前記オフセット値は、前記線シンボルが示す電線の種類に対応する、
ことを特徴とする付記１乃至３のいずれかに記載のコンピュータ・プログラム。
【００８７】
（付記５）　前記オフセット値は、前記径間に表示される線シンボルの回線数に対応する、
ことを特徴とする付記１乃至４のいずれかに記載のコンピュータ・プログラム。
【００８８】
（付記６）　前記オフセット値は、前記２つの電柱シンボルの中心を結んでできる第１の基準線と前記線シンボルとの距離を示す、
ことを特徴とする付記１乃至５のいずれかに記載のコンピュータ・プログラム。
【００８９】
（付記７）　前記オフセット値は、２つの電柱シンボルの中心を通り、前記第１の基準線に垂直な第２の基準線と前記線シンボルとの距離を示す、
ことを特徴とする付記１乃至６のいずれかに記載のコンピュータ・プログラム。
【００９０】
（付記８）　配電設備図を作成する制御を配電設備図を作成する制御をコンピュータに行わせるプログラムを記録した記録媒体であって、
２つの電柱シンボルの径間に表示される線シンボルと前記電柱シンボルとの位置関係を示す情報であるオフセット値を取得し、
前記２つの電柱シンボルの前記配電設備図上での位置を示す電柱位置情報及び前記オフセット値に基づいて、前記線シンボルの前記配電設備図上での位置を示す電線位置情報を生成し、
前記生成された電線位置情報に基づいて、前記線シンボルを前記配電設備図上に表示させる、
ことを含む制御を前記コンピュータに行わせるプログラムを記録した記録媒体。
【００９１】
（付記９）　コンピュータが、配電設備図を作成する配電設備図作成方法であって、
２つの電柱シンボルの径間に表示される線シンボルと前記電柱シンボルとの位置関係を示す情報であるオフセット値を取得し、
前記２つの電柱シンボルの前記配電設備図上での位置を示す電柱位置情報及び前記オフセット値に基づいて、前記線シンボルの前記配電設備図上での位置を示す電線位置情報を生成し、
前記生成された電線位置情報に基づいて、前記線シンボルを前記配電設備図上に表示させる、
ことを含むことを特徴とする配電設備図作成方法。
【００９２】
（付記１０）　配電設備図を作成する配電設備図作成装置であって、
２つの電柱シンボルの径間に表示される線シンボルと前記電柱シンボルとの位置関係を示す情報であるオフセット値を格納する格納手段と、
前記２つの電柱シンボルの前記配電設備図上での位置を示す電柱位置情報及び前記オフセット値に基づいて前記線シンボルの前記配電設備図上での位置を示す電線位置情報を生成し、前記生成された電線位置情報に基づいて前記線シンボルを前記配電設備図上に表示させる作画制御手段と、
を備えることを特徴とする配電設備図作成装置。
【００９３】
（付記１１）　配電設備図を作成する制御をコンピュータに行わせるコンピュータ・プログラムであって、
２つの電柱シンボルに対応する電線を示す線シンボル情報を格納する径間情報より、受信した電柱シンボルに該当する径間情報を抽出し、
前記の受信した電柱シンボルの前記配電設備図上での位置を示す電柱位置情報及び前記径間情報に基づいて、前記線シンボルの前記配電設備図上での位置を示す電線位置情報を生成し、
前記生成された電線位置情報に基づいて、前記線シンボルを前記配電設備図上に表示させる、
ことを含む制御を前記コンピュータに行わせることを特徴とするコンピュータ・プログラム。
【００９４】
【発明の効果】
以上詳細に説明したように、本発明によれば、予め、径間に表示される線シンボルと電柱シンボルとの位置関係を示す情報であるオフセット値を用意する。しそして、径間を構成する電柱シンボルを指定した上で線シンボルを表示する旨を指示されると、その電柱シンボルの中心座標とオフセット値に基づいて、線シンボルの始点及び終点の座標が自動的に算出されるように構成する。これにより、線シンボルの入力処理を簡略化した複線表示方式の配線設備図を作成することが可能となる。
【図面の簡単な説明】
【図１】配電設備図作成装置の構成図である。
【図２】径間レコードの一例をす図である。
【図３】作画座標レコードとセグメント定義レコードの一例を示す図である。
【図４】線シンボルの作画を説明する図である。
【図５】線シンボルの表示処理を示すフローチャートである。
【図６】作画例を示す図である。
【図７】電柱シンボルの移動による線シンボルの連動移動を説明する図である。
【図８】電柱シンボルの移動に線シンボルの表示処理を示すフローチャートである。
【図９】コンピュータの構成図である。
【図１０】コンピュータへのプログラムのローディングを説明する図である。
【図１１】従来方式による配電設備図の一例を示す図である。
【図１２】従来方式による電柱シンボルの移動による線シンボルの連動移動を説明する図である。
【図１３】従来方式による電柱シンボルの移動による線シンボルの表示処理を示すフローチャートである。
【符号の説明】
１０　配電設備図作成装置
１１　レコード検索部
１２　径間レコード作成・更新部
１３　作画制御部
１４　作画座標レコード作成・更新部
１５　径間レコード格納部
１６　作画座標レコード格納部
１７　セグメント定義レコード格納部
２０　コンピュータ
２１　ＣＰＵ
２２　メモリ
２３　入力装置
２４　出力装置
２５　外部記憶装置
２６　媒体駆動装置
２７　ネットワーク接続装置
２８　バス
２９　可搬記録媒体
３０　プログラム（データ）提供者
３１　回線
Ｓ、ＳＴ　ステップ
【図１】
2004021337.tif 000003
【図２】
2004021337.tif 000004
【図３】
2004021337.tif 000005
【図４】
2004021337.tif 000006
【図５】
2004021337.tif 000007
【図６】
2004021337.tif 000008
【図７】
2004021337.tif 000009
【図８】
2004021337.tif 000010
【図９】
2004021337.tif 000011
【図１０】
2004021337.tif 000012
【図１１】
2004021337.tif 000013
【図１２】
2004021337.tif 000014
【図１３】
2004021337.tif 000015